【手続補正書】
【提出日】平成16年10月27日(2004.10.27)
【手続補正１】
【補正対象書類名】明細書
【補正対象項目名】特許請求の範囲
【補正方法】変更
【補正の内容】
【特許請求の範囲】
【請求項１】
光ディスク媒体に形成された情報ピットにレーザービームを照射し、その反射光から情報再生信号を得る光ヘッドと、その光ヘッドに設けられた複数の受光部よりなる受光素子から出力される信号群の相互の位相差からトラッキング誤差信号を検出する位相比較手段と、上記光ヘッドを上記光ディスク媒体の半径方向に移動させる手段を具備した光ディスク装置であって、
上記信号群間に相互に任意の時間差を発生させる時間差調整手段と、
上記光ヘッドが半径方向に移動したとき、横切ったトラック数から上記光ヘッドの位置を算定する手段と、
上記算定位置から推定される光ディスク媒体の回転線速度に応じて上記時間差調整手段の時間差を変化させる手段を設けたことを特徴とする光ディスク装置。
【請求項２】
上記変化させる手段は、
光ヘッドの所定の位置における、時間差調整手段の時間差に係わる特定値を供給する手段と、
算定された任意の光ヘッドの位置から、光ディスク媒体の回転線速度に係わる値を算定する手段と、
上記回転速度に係わる値の逆数と上記時間差に係わる特定値とを乗算し、その乗算値に比例して上記時間差調整手段の時間差を変化させる手段とを設けたことを特徴とする請求項１記載の光ディスク装置。
【請求項３】
光ディスク媒体に形成された情報ピットにレーザービームを照射し、その反射光から情報再生信号を得る光ヘッドと、その光ヘッドに設けられた複数の受光部よりなる受光素子から出力される信号群の相互の位相差からトラッキング誤差信号を検出する位相比較手段とを具備した光ディスク装置であって、
上記信号群間に相互に任意の時間差を発生させる時間差調整手段と、
上記情報再生信号の信号長を計測する手段と、
単位時間内における情報再生信号の最長の信号を検出し、その時間長に係わる値を出力する手段と、
上記最長の信号の時間長から推定される光ディスク媒体の回転線速度に係わる値に応じて上記時間差調整手段の時間差を変化させる手段を設けたことを特徴とする光ディスク装置。
【請求項４】
上記変化させる手段は、
光ヘッドの所定の位置における、時間差調整手段の時間差に係わる特定値を供給する手段と、
単位時間内における最長の信号の時間長に係わる値と上記特定値を乗算し、その乗算値に比例して上記時間差調整手段の時間差を変化させる手段を設けたことを特徴とする請求項３記載の光ディスク装置。
【請求項５】
上記信号長を計測する手段は、
情報再生信号と位相同期したクロック信号を生成する位相同期手段を設け、上記クロック信号の周期に比例して時間差調整手段の時間差を変化させるようにしたことを特徴とする請求項３記載の光ディスク装置。
【請求項６】
さらに、レーザービームがオフトラックしたことを検出する手段を設け、
オフトラック時には情報再生信号の信号長を計測する動作を中断させることを特徴とする請求項３記載の光ディスク装置。
【請求項７】
さらに、光ヘッドの移送速度を検出する手段を設け、
上記移送速度が所定量を越えたとき、情報再生信号の信号長を計測する動作を中断させることを特徴とする請求項３記載の光ディスク装置。
【請求項８】
光ディスク媒体に形成された情報ピットにレーザービームを照射し、その反射光からアドレス情報を含む情報再生信号を得る光ヘッドと、上記光ヘッドを上記光ディスク媒体の半径方向に移動させる手段を具備した光ディスク装置であって、
設定値に応じて上記情報再生信号の任意の周波数帯域におけるゲインを上げる等化手段と、
上記光ヘッドが半径方向に移動したとき、横切ったトラック数から上記光ヘッドの位置を算定する手段と、
上記算定位置から推定される光ディスク媒体の回転線速度に応じて上記等化手段の設定値を変化させる手段とを設けたことを特徴とする光ディスク装置。
【請求項９】
上記変化させる手段は、
光ヘッドの所定の位置における、等化手段の特定値を供給する手段と、
算定された任意の光ヘッドの位置から、光ディスク媒体の回転線速度に係わる値を算定する手段と、
上記回転速度に係わる値と上記等化手段の特定値とを乗算し、その乗算値に比例して上記等化手段の設定値を変化させる手段とを設けたことを特徴とする請求項８記載の光ディスク装置。
【請求項１０】
光ディスク媒体に形成された情報ピットにレーザービームを照射し、その反射光からアドレス情報を含む情報再生信号を得る光ヘッドを具備した光ディスク装置であって、
設定値に応じて上記情報再生信号の任意の周波数帯域におけるゲインを上げる
等化手段と、
上記情報再生信号の信号長を計測する手段と、
単位時間内における最長の信号を検出し、その時間長に係わる値を出力する手段と、
上記最長の信号の時間長に係わる値から推定される光ディスク媒体の回転線速度に応じて等化手段の設定値を変化させる手段を設けたことを特徴とする光ディスク装置。
【請求項１１】
上記変化させる手段は、
光ヘッドの所定の位置における、等化手段の特定値を供給する手段と、
単位時間内における最長の信号の時間長に係わる値と上記特定値とを乗算し、
その乗算値に比例して等化手段の設定値を変化させる手段を設けたことを特徴とする請求項１０記載の光ディスク装置。
【請求項１２】
上記変化させる手段は、
情報再生信号と位相同期したクロック信号を生成する位相同期手段を設け、上記クロック信号の周波数に比例して等化手段のカットオフ周波数を変化させる手段を設けたことを特徴とする請求項１０記載の光ディスク装置。
【請求項１３】
さらに、レーザービームがオフトラックしたことを検出する手段を設け、
オフトラック時には情報再生信号の信号長を計測する動作を中断させることを特徴とする請求項１０記載の光ディスク装置。
【請求項１４】
光ディスク媒体に形成された情報ピットにレーザービームを照射し、その反射光から得た情報再生信号に対して位相同期したクロック信号を生成するための位相同期制御手段を具備した光ディスク装置であって、
上記クロック信号の周波数を計測する手段と、
上記位相同期手段に対し、上記周波数に比例したゲインを設定する手段とを具備したことを特徴とする光ディスク装置。
【請求項１５】
さらに、情報再生信号の信号長を計測する手段と、
単位時間内における最長の信号を検出する手段と、
上記最長の信号の時間長に反比例して上記位相同期手段のゲインを変化させる手段を設けたことを特徴とする請求項１４記載の光ディスク装置。
【請求項１６】
さらに、レーザービームがオフトラックしたことを検出する手段を設け、
オフトラック時には情報再生信号の信号長を計測する動作を中断させることを特徴とする請求項１５記載の光ディスク装置。
【請求項１７】
さらに、光ヘッドの移送速度を検出する手段を設け、
上記移送速度が所定量を越えたとき、情報再生信号の信号長を計測する動作を中断させることを特徴とする請求項１５記載の光ディスク装置。
【請求項１８】
回転線速度一定で記録成形された情報ピット列を有す光ディスク媒体と、上記光ディスク媒体にレーザービームを照射し、その反射光から再生信号を得る光ヘッドと、上記光ヘッドを上記光ディスク媒体の半径方向に移動させる手段を具備した光ディスク装置であって、
上記光ディスク媒体および光ヘッドの空間的要因で生じる上記再生信号の偏差を、設定値に応じて、時間的若しくは周波数的に補正する手段と、
上記光ヘッドの半径位置に反比例若しくは比例した設定値を上記時間的若しくは周波数的に補正する手段に供給する手段を設けたことを特徴とする光ディスク装置。
【請求項１９】
回転線速度一定で記録成形された情報ピット列を有す光ディスク媒体と、上記光ディスク媒体にレーザービームを照射し、その反射光から再生信号を得る光ヘッドと、上記光ヘッドを上記光ディスク媒体の半径方向に移動させる手段を具備した光ディスク装置であって、
上記光ディスク媒体および光ヘッドの空間的要因で生じる上記再生信号の偏差を、設定値に応じて、時間的若しくは周波数的に補正する手段と、
単位時間内における上記再生信号中の最長の信号を検出し、その時間長に係わる値を出力する手段と、
上記最長の信号の時間長に係わる値に応じた設定値を上記時間的若しくは周波数的に補正する手段に供給する手段を設けたことを特徴とする光ディスク装置。
【手続補正２】
【補正対象書類名】明細書
【補正対象項目名】００１２
【補正方法】変更
【補正の内容】
【００１２】
【課題を解決するための手段】
上記課題を解決するために第１の観点の発明は、光ディスク媒体に形成された情報ピットにレーザービームを照射し、その反射光から情報再生信号を得る光ヘッドと、その光ヘッドに設けられた複数の受光部よりなる受光素子から出力される信号群の相互の位相差からトラッキング誤差信号を検出する位相比較手段と、上記光ヘッドを上記光ディスク媒体の半径方向に移動させる手段を具備した光ディスク装置であって、上記信号群間に相互に任意の時間差を発生させる時間差調整手段と、上記光ヘッドが半径方向に移動したとき、横切ったトラック数から上記光ヘッドの位置を算定する手段と、上記算定位置から推定される光ディスク媒体の回転線速度に応じて上記時間差調整手段の時間差を変化させる手段を設けた。
【手続補正３】
【補正対象書類名】明細書
【補正対象項目名】００１３
【補正方法】変更
【補正の内容】
【００１３】
また、第２の観点の発明は、光ディスク媒体に形成された情報ピットにレーザービームを照射し、その反射光から情報再生信号を得る光ヘッドと、その光ヘッドに設けられた複数の受光部よりなる受光素子から出力される信号群の相互の位相差からトラッキング誤差信号を検出する位相比較手段とを具備した光ディスク装置であって、上記信号群間に相互に任意の時間差を発生させる時間差調整手段と、上記情報再生信号の信号長を計測する手段と、単位時間内における最長の信号を検出し、その時間長に係わる値を出力する手段と、上記最長の信号の時間長に係わる値から推定される光ディスク媒体の回転線速度に応じて上記時間差調整手段の時間差を変化させる手段を設けた。
【手続補正４】
【補正対象書類名】明細書
【補正対象項目名】００１４
【補正方法】変更
【補正の内容】
【００１４】
また、第３の観点の発明は、光ディスク媒体に形成された情報ピットにレーザービームを照射し、その反射光からアドレス情報を含む情報再生信号を得る光ヘッドと、上記光ヘッドを上記光ディスク媒体の半径方向に移動させる手段を具備した光ディスク装置であって、設定値に応じて上記情報再生信号の任意の周波数帯域におけるゲインを上げる等化手段と、上記光ヘッドが半径方向に移動したとき、横切ったトラック数から上記光ヘッドの位置を算定する手段と、上記算定位置から推定される光ディスク媒体の回転線速度に応じて上記等化手段の設定値を変化させる手段とを設けた。
【手続補正５】
【補正対象書類名】明細書
【補正対象項目名】００１５
【補正方法】変更
【補正の内容】
【００１５】
また第４の観点の発明は、光ディスク媒体に形成された情報ピットにレーザービームを照射し、その反射光からアドレス情報を含む情報再生信号を得る光ヘッドを具備した光ディスク装置であって、設定値に応じて上記情報再生信号の任意の周波数帯域のゲインを上げる等化手段と、上記情報再生信号の信号長を計測する手段と、単位時間内における最長の信号を検出し、その時間長に係わる値を出力する手段と、上記最長の信号の時間長に係わる値から推定される光ディスク媒体の回転線速度に応じて等化手段の設定値を変化させる手段を設けた。